(57)【要約】【課題】積載量を多くできる状態とコンパクトな状態とに切替え、且つ、使い勝手を良くする。【解決手段】第１パレット３の起立状態の両パレット支持部材３ｂに第２パレット５を積み上げた際、起立状態の両パレット支持部材３ｂ上端の係合突起３７ｃを第２パレット５の両短辺の第２貫通孔５１ａに係合させて第２パレット５を水平方向に移動規制する。両パレット支持部材３ｂが倒伏状態の第１パレット３に第２パレット５を積み上げた際、第１パレット本体３ａ上部の両短辺の第１突条部３３ｂを、第２パレット本体５ａ下部の両短辺の第２凹条溝５５ａに嵌合させて第２パレット５を水平方向に移動規制する。【選択図】図１
2013227077.tif 000002
【特許請求の範囲】
【請求項１】
荷物を載置する矩形状の第１パレット本体と、該第１パレット本体における一対の対向辺の全長に亘って設けられ該両対向辺に起伏可能に軸支された一対のパレット支持部材とを有し、該両パレット支持部材の起立状態で上記第１パレット本体の上方に荷物を載置可能な形態とする一方、該両パレット支持部材を上記第１パレット本体の上に折り畳んで該両パレット支持部材を格納形態とする第１パレットと、
荷物を載置する矩形状の第２パレット本体を有し、上記両パレット支持部材の起立状態と倒伏状態との２形態の第１パレット上にそれぞれ積み上げられる第２パレットとを備え、
上記両パレット支持部材に対応する上記第２パレット下部の両対向辺及び起立状態での上記両パレット支持部材の上端の一方には、第１係合部が、他方には該第１係合部に係合する第１被係合部がそれぞれ設けられ、上記両パレット支持部材が起立状態の上記第１パレット上方に上記第２パレットを積み上げた際、上記第１係合部を上記第１被係合部に係合させることにより、上記第２パレットを上記第１パレットに対して水平方向に移動規制し、
上記第１パレット本体の上部における両パレット支持部材側の一対の対向辺及び該両パレット支持部材に対応する上記第２パレット本体の下部の一対の対向辺の一方には、第２係合部が、他方には該第２係合部と係合する第２被係合部がそれぞれ設けられ、上記両パレット支持部材の倒伏状態で上記第１パレット本体の上に上記第２パレットを積み上げた際、上記第２係合部を上記第２被係合部に係合させることにより、上記第２パレットを上記第１パレットに対して水平方向に移動規制するように構成されていることを特徴とする折り畳み式パレット。
【請求項２】
請求項１に記載の折り畳み式パレットにおいて、
上記第１係合部は、上記両パレット支持部材の起立状態での上端に突設された係合突起であり、
上記第１被係合部は、上記両パレット支持部材に対応する上記第２パレット下部の一対の対向辺に設けられ、上記係合突起が下方から係合する第１貫通孔であることを特徴とする折り畳み式パレット。
【請求項３】
請求項２に記載の折り畳み式パレットにおいて、
上記両パレット支持部材に対応する上記第１パレット本体の下部には、起立状態の上記両パレット支持部材の上記係合突起が下方から係合する第２貫通孔が設けられていることを特徴とする折り畳み式パレット。
【請求項４】
請求項１から３のいずれか１つに記載の折り畳み式パレットにおいて、
上記第２係合部は、上記第１パレット本体の上部における両パレット支持部材側の一対の対向辺に突設され、上方に行くにつれて互いに接近する一対の第１ガイド面を有する山形状の第１突条部であり、
上記第２被係合部は、上記両パレット支持部材に対応する上記第２パレット本体の下部の一対の対向辺に設けられ、上記パレット支持部材を倒伏させた第１パレットに上記第２パレットを積み上げた際、上記第１突条部が嵌合する逆Ｖ字状の凹条溝であり、
上記両パレット支持部材に対応する上記第２パレット本体の下部の一対の対向辺には、上記第１突条部が上記凹条溝に嵌合した状態で、上記第１突条部の長手方向両端に対向する移動規制部が設けられていることを特徴とする折り畳み式パレット。
【請求項５】
請求項４に記載の折り畳み式パレットにおいて、
起立状態の上記両パレット支持部材上端には、上方に行くにつれて互いに接近する一対の第２ガイド面を有し、上記パレット支持部材を起立させた第１パレットに上記第２パレットを積み上げた際、上記凹条溝に嵌合する山形状の第２突条部が突設されていることを特徴とする折り畳み式パレット。
【請求項６】
荷物を載置する矩形状の第１パレット本体と、該第１パレット本体における一対の対向辺の全長に亘って設けられ該一対の対向辺に起伏可能に軸支された一対のパレット支持部材とを有し、該一対のパレット支持部材の起立状態で上記第１パレット本体の上方に荷物を載置可能な形態とする一方、該一対のパレット支持部材を上記第１パレット本体の上に折り畳んで該一対のパレット支持部材を格納形態とする第１パレットを備える折り畳み式パレット。
【請求項７】
請求項６に記載の折り畳み式パレットにおいて、
上記一対のパレット支持部材の上端には、第１係合部が、下端には該第１係合部に係合する第１被係合部がそれぞれ設けられ、上記一対のパレット支持部材が起立状態の上記第１パレットの上方に該パレットと同一構成の他の第１パレットを積み上げた際、上記第１係合部を上記第１被係合部に係合させることにより、上記他の第１パレットを上記第１パレットに対して水平方向に移動規制し、
上記第１パレット本体の上部における一対のパレット支持部材側の一対の対向辺及び該一対のパレット支持部材に対応する上記第１パレット本体の下部の一対の対向辺の一方には、第２係合部が、他方には該第２係合部と係合する第２被係合部がそれぞれ設けられ、上記一対のパレット支持部材の倒伏状態で上記第１パレットの上方に該パレットと同一構成の他の第１パレットを積み上げた際、上記第２係合部を上記第２被係合部に係合させることにより、上記他の第１パレットを上記第１パレットに対して水平方向に移動規制するように構成されていることを特徴とする折り畳み式パレット。
【請求項８】
請求項７に記載の折り畳み式パレットにおいて、
上記第１係合部は、上記一対のパレット支持部材の起立状態での上端に突設された係合突起であり、
上記第１被係合部は、上記一対のパレット支持部材の下端に設けられ、上記係合突起が下方から係合する貫通孔であることを特徴とする折り畳み式パレット。
【請求項９】
請求項７又は８に記載の折り畳み式パレットにおいて、
上記第２係合部は、上記第１パレット本体の上部における一対のパレット支持部材側の一対の対向辺に突設され、上方に行くにつれて互いに接近する一対の第１ガイド面を有する山形状の第１突条部であり、
上記第２被係合部は、上記第１パレット本体の下部における一対のパレット支持部材側の一対の対向辺に設けられ、上記パレット支持部材を倒伏させた同一構成の他の第１パレットに本パレットを積み上げた際、上記他の第１パレットの第１突条部が嵌合する逆Ｖ字状の凹条溝であり、
上記第１パレット本体の下部の一対の対向辺には、上記他の第１パレットの上記第１突条部が上記凹条溝に嵌合した状態で、上記第１突条部の長手方向両端に対向する移動規制部が設けられていることを特徴とする折り畳み式パレット。
【請求項１０】
請求項９に記載の折り畳み式パレットにおいて、
起立状態の上記一対のパレット支持部材上端には、上方に行くにつれて互いに接近する一対の第２ガイド面を有し、上記パレット支持部材を起立させた上記第１パレットに同一構成の上記他の第１パレットを積み上げた際、上記凹条溝に嵌合する山形状の第２突条部が突設されていることを特徴とする折り畳み式パレット。
【請求項１１】
請求項６〜１０のいずれか一項に記載の折り畳み式パレットにおいて、
上記一対のパレット支持部材には、該一対のパレット支持部材を上記パレット本体上に折り畳む方向と反対側の位置に収納部が設けられていることを特徴とする折り畳み式パレット。
【請求項１２】
請求項６〜１０のいずれか一項に記載の折り畳み式パレットにおいて、
上記パレット本体は、該パレット本体を長手方向に沿って２分割され、２分割された各上記パレット本体同士を接合すると共に、２分割された一方の上記パレット本体を他方の上記パレット本体に重ね合わせ可能なパレット回動部を備えることを特徴とする折り畳み式パレット。
【発明の詳細な説明】
【技術分野】
【０００１】
本発明は、例えば、物流過程において荷役作業を行う際に、荷物を載置する折り畳み式パレットに関する。
【背景技術】
【０００２】
従来より、物流過程では、荷役作業を行い易くするために荷物を載置するパレットが用いられる。例えば、特許文献１のパレットは、荷役作業を行わないときにコンパクトに折り畳めるように構成された折り畳み式パレットであり、荷物を載置する矩形格子状のパレット本体と、該パレット本体における一対の対向辺にそれぞれ起伏可能に軸支された矩形状の側枠体とを備え、両側枠体の起立状態で上記パレット本体の上に荷物を載置する態勢を整える一方、両側枠体を折り畳んだ倒伏状態で両側枠体の格納態勢を整えるように構成されている。
【０００３】
そして、上記各側枠体の起立状態での上下方向中程には、４本の棒材が着脱可能に並設され、上記各側枠体の起立状態において上記パレット本体の上だけでなく上記４本の棒材上にも荷物が載置できるようになっている。
【先行技術文献】
【特許文献】
【０００４】
【特許文献１】実用新案登録第２５９６７１３号公報（段落００１１〜００１６欄、図１）
【発明の概要】
【発明が解決しようとする課題】
【０００５】
しかし、特許文献１の折り畳み式パレットでは、両側枠体を折り畳む際、各側枠体から４本の棒材を取り外すので、パレット本体と別体になった４本の棒材をパレット本体とは別に保管しなければならず、紛失するおそれがあり使い勝手が悪い。また、両側枠体を折り畳むと、両側枠体の上端側（一端側）が互いに重なり合って一方の側枠体が傾いた状態となるので、当該折り畳んだ両側枠体上に荷物を安定して載置できない。したがって、少量の荷物を運ぶ際でも、両側枠体を起立させる必要があり、このことにおいても使い勝手が悪い。
【０００６】
本発明は、斯かる点に鑑みてなされたものであり、その目的とするところは、積載量を多くできる状態とコンパクトな状態とに切替可能で、しかも、使い勝手の良い折り畳み式パレットを提供することにある。
【課題を解決するための手段】
【０００７】
上記の目的を達成するために、本発明は、起伏可能な一対のパレット支持部材を有する第１パレット及びパレット支持部材の無い第２パレットの２種類のパレットで構成され、第２パレットが、上記両パレット支持部材の起立状態と倒伏状態との２形態の第１パレットに積み上げられるように構成されていることを特徴とする。
【０００８】
すなわち、第１の発明では、荷物を載置する矩形状の第１パレット本体と、該第１パレット本体における一対の対向辺の全長に亘って設けられ該各対向辺に起伏可能に軸支された一対のパレット支持部材とを有し、該両パレット支持部材の起立状態で上記第１パレット本体の上方に荷物を載置可能な形態とする一方、該両パレット支持部材を上記第１パレット本体の上に折り畳んで該両パレット支持部材を格納形態とする第１パレットと、荷物を載置する矩形状の第２パレット本体を有し、上記両パレット支持部材の起立状態と倒伏状態との２形態の第１パレット上にそれぞれ積み上げられる第２パレットとを備え、上記両パレット支持部材に対応する上記第２パレット下部の一対の対向辺及び起立状態での上記両パレット支持部材の上端の一方には、第１係合部が、他方には該第１係合部に係合する第１被係合部がそれぞれ設けられ、上記両パレット支持部材が起立状態の上記第１パレット上方に上記第２パレットを積み上げた際、上記第１係合部を上記第１被係合部に係合させることにより、上記第２パレットを上記第１パレットに対して水平方向に移動規制し、上記第１パレット本体の上部における両パレット支持部材側の一対の対向辺及び該両パレット支持部材に対応する上記第２パレット本体の下部の一対の対向辺の一方には、第２係合部が、他方には該第２係合部と係合する第２被係合部がそれぞれ設けられ、上記両パレット支持部材の倒伏状態で上記第１パレット本体の上に上記第２パレットを積み上げた際、上記第２係合部を上記第２被係合部に係合させることにより、上記第２パレットを上記第１パレットに対して水平方向に移動規制するように構成されていることを特徴とする。
【０００９】
第２の発明では、第１の発明において、上記第１係合部は、上記両パレット支持部材の起立状態での上端に突設された係合突起であり、上記第１被係合部は、上記両パレット支持部材に対応する上記第２パレット下部の一対の対向辺に設けられ、上記係合突起が下方から係合する第１貫通孔であることを特徴とする。
【００１０】
第３の発明では、第２の発明において、上記両パレット支持部材に対応する上記第１パレット本体の下部には、起立状態の上記両パレット支持部材の上記係合突起が下方から係合する第２貫通孔が設けられていることを特徴とする。
【００１１】
第４の発明では、第１から第３のいずれか１つの発明において、上記第２係合部は、上記第１パレット本体の上部における両パレット支持部材側の一対の対向辺に突設され、上方に行くにつれて互いに接近する一対の第１ガイド面を有する山形状の第１突条部であり、上記第２被係合部は、上記両パレット支持部材に対応する上記第２パレット本体の下部の一対の対向辺に設けられ、上記パレット支持部材を倒伏させた第１パレットに上記第２パレットを積み上げた際、上記第１突条部が嵌合する逆Ｖ字状の凹条溝であり、上記両パレット支持部材に対応する上記第２パレット本体の下部の一対の対向辺には、上記第１突条部が上記凹条溝に嵌合した状態で、上記第１突条部の長手方向両端に対向する移動規制部が設けられていることを特徴とする。
【００１２】
第５の発明では、第４の発明において、起立状態の上記両パレット支持部材上端には、上方に行くにつれて互いに接近する一対の第２ガイド面を有し、上記パレット支持部材を起立させた第１パレットに上記第２パレットを積み上げた際、上記凹条溝に嵌合する山形状の第２突条部が突設されていることを特徴とする。
【００１３】
また、上記の目的を達成するために、第６の発明は、荷物を載置する矩形状の第１パレット本体と、該第１パレット本体における一対の対向辺の全長に亘って設けられ該一対の対向辺に起伏可能に軸支された一対のパレット支持部材とを有し、該一対のパレット支持部材の起立状態で上記第１パレット本体の上方に荷物を載置可能な形態とする一方、該一対のパレット支持部材を上記第１パレット本体の上に折り畳んで該一対のパレット支持部材を格納形態とする第１パレットからなることを特徴とする。
【００１４】
第７の発明では、第６の発明において、上記一対のパレット支持部材の上端には、第１係合部が、下端には該第１係合部に係合する第１被係合部がそれぞれ設けられ、上記一対のパレット支持部材が起立状態の上記第１パレットの上方に該パレットと同一構成の他の第１パレットを積み上げた際、上記第１係合部を上記第１被係合部に係合させることにより、上記他の第１パレットを上記第１パレットに対して水平方向に移動規制し、上記第１パレット本体の上部における一対のパレット支持部材側の一対の対向辺及び該一対のパレット支持部材に対応する上記第１パレット本体の下部の一対の対向辺の一方には、第２係合部が、他方には該第２係合部と係合する第２被係合部がそれぞれ設けられ、上記一対のパレット支持部材の倒伏状態で上記第１パレットの上方に該パレットと同一構成の他の第１パレットを積み上げた際、上記第２係合部を上記第２被係合部に係合させることにより、上記他の第１パレットを上記第１パレットに対して水平方向に移動規制するように構成されていることを特徴とする。
【００１５】
第８の発明では、第７の発明において、上記第１係合部は、上記一対のパレット支持部材の起立状態での上端に突設された係合突起であり、上記第１被係合部は、上記一対のパレット支持部材の下端に設けられ、上記係合突起が下方から係合する貫通孔であることを特徴とする。
【００１６】
第９の発明は、第７又は第８の発明において、上記第２係合部は、上記第１パレット本体の上部における一対のパレット支持部材側の一対の対向辺に突設され、上方に行くにつれて互いに接近する一対の第１ガイド面を有する山形状の第１突条部であり、上記第２被係合部は、上記第１パレット本体の下部における一対のパレット支持部材側の一対の対向辺に設けられ、上記パレット支持部材を倒伏させた同一構成の他の第１パレットに本パレットを積み上げた際、上記他の第１パレットの第１突条部が嵌合する逆Ｖ字状の凹条溝であり、上記第１パレット本体の下部の一対の対向辺には、上記他の第１パレットの上記第１突条部が上記凹条溝に嵌合した状態で、上記第１突条部の長手方向両端に対向する移動規制部が設けられていることを特徴とする。
【００１７】
第１０の発明は、第９の発明において、起立状態の上記一対のパレット支持部材上端には、上方に行くにつれて互いに接近する一対の第２ガイド面を有し、上記パレット支持部材を起立させた上記第１パレットに同一構成の上記他の第１パレットを積み上げた際、上記凹条溝に嵌合する山形状の第２突条部が突設されていることを特徴とする。
【００１８】
第１１の発明は、第６〜第１０のいずれかにおいて、上記一対のパレット支持部材には、該一対のパレット支持部材を上記パレット本体上に折り畳む方向と反対側の位置に収納部が設けられていることを特徴とする。
【００１９】
第１２の発明は、第６〜第１０のいずれかにおいて、上記パレット本体が、該パレット本体を長手方向に沿って２分割され、２分割された各上記パレット本体同士を接合すると共に、２分割された一方の上記パレット本体を他方の上記パレット本体に重ね合わせ可能なパレット回動部を備えることを特徴とする。
【発明の効果】
【００２０】
第１の発明では、両パレット支持部材が起立状態の第１パレットに第２パレットを積み上げると、第１係合部及び第１被係合部の係合により、第１パレットに対して第２パレットの位置決めがなされて第１パレット本体及び第２パレット本体の上に荷物を載置できるようになるので、折り畳み式パレットの積載量を多くできる。また、両パレット支持部材を折り畳んで第１パレットに第２パレットを積み上げると、第２係合部及び第２被係合部の係合により、第１パレットに対して第２パレットの位置決めがなされ該第２パレットが水平方向に移動せず、且つ、コンパクトになる。しかも、特許文献１のように、パレットを折り畳むとパレット本体と複数の棒材とが別体となって保管時に複数の棒材を紛失してしまうといったことを防止でき、使い勝手が良い。さらに、第２パレットは、倒伏状態の両パレット支持部材を上方から覆うように第１パレットに位置決めされるので、両パレット支持部材を折り畳んだときに上端側が互いに重なり合う構造であっても、第２パレット上に荷物を載置することができ、このことにおいても使い勝手が良い。
【００２１】
第２の発明では、両パレット支持部材が起立状態の上記第１パレットに第２パレットを積み上げると、係合突起及び第１貫通孔の係合により、第１パレットに対して第２パレットが強固に固定されるので、第１パレットに対する第２パレットの水平方向の移動を確実に規制することができる。
【００２２】
第３の発明では、両パレット支持部材が起立状態の第１パレットを複数積み上げることができるようになるので、第１の発明に比べて荷物の積載量を多くできる。また、両パレット支持部材が起立状態の第１パレットに他の第１パレットを積み上げると、係合突起及び第２貫通孔が互いに係合して第１パレット同士が強固に固定されるので、積み上げた第１パレット同士の互いの水平方向の移動を確実に規制することができる。
【００２３】
第４の発明では、両パレット支持部材が倒伏状態の第１パレットに上記第２パレットを積み上げると、山形状の第１突条部及び逆Ｖ字状の凹条溝の嵌合により、第１パレットに対する第２パレットの第１突条部及び凹条溝の延長方向と交差する方向の移動を規制するとともに、第１突条部及び凹条溝が互いに延長方向にスライド移動するのを移動規制部が規制することにより、第１パレットに対する第２パレットの水平方向の移動を確実に規制することができる。また、両パレット支持部材が倒伏状態の第１パレットに第２パレットをフォークリフト等で積み上げる際、第２パレットの凹条溝を第１突条部に上方から対応させて第１パレットに近づけると、第１突条部の一対の第１ガイド面が凹条溝の内側面に摺接しつつ第１突条部及び凹条溝の延長方向を一致させるように案内する。したがって、両パレット支持部材が倒伏状態の第１パレットに第２パレットを積み上げる際の位置決めに手間がかからず、積み上げ作業が容易である。
【００２４】
第５の発明では、両パレット支持部材が起立状態の第１パレットに第２パレットをフォークリフト等で積み上げて位置決めする際、第２パレットの凹条溝を第２突条部に上方から対応させて第１パレットに近づけると、第２突条部の一対の第２ガイド面が凹条溝の内側面に摺接しつつ第２突条部及び凹条溝の延長方向を一致させるように案内する。したがって、両パレット支持部材が起立状態の第１パレットに第２パレットを積み上げる際の位置決めに手間がかからず、積み上げ作業が容易である。
【００２５】
第６の発明では、両パレット支持部材が起立状態の第１パレットに同一構成の他の第１パレットを積み上げると、第１パレット本体及び他の第１パレット本体の上に荷物を載置できるようになるので、折り畳み式パレットの積載量を多くできる。また、両パレット支持部材を折り畳んで第１パレットに他の第１パレットを積み上げることによりコンパクトになる。しかも、特許文献１のように、パレットを折り畳むとパレット本体と複数の棒材とが別体となって保管時に複数の棒材を紛失してしまうといったことを防止でき、使い勝手が良い。
【００２６】
第７の発明では、両パレット支持部材が起立状態の第１パレットに同一構成の他の第１パレットを積み上げると、第１係合部及び第１被係合部の係合により、第１パレットに対して他の第１パレットの位置決めがなされて第１パレット本体及び他の第１パレット本体の上に荷物をより安定して載置できるようになる。また、両パレット支持部材を折り畳んで第１パレットに他の第１パレットを積み上げると、第２係合部及び第２被係合部の係合により、第１パレットに対して他の第１パレットの位置決めがなされ該他の第１パレットが水平方向に移動せず、且つ、コンパクトになる。さらに、第１パレットの上に積み上げられる他の第１パレットは、倒伏状態の両パレット支持部材を上方から覆うように第１パレットに位置決めされるので、両パレット支持部材を折り畳んだときに上端側が互いに重なり合う構造であっても、他の第１パレット上に荷物を載置することができ、このことにおいても使い勝手が良い。
【００２７】
第８の発明では、両パレット支持部材が起立状態の上記第１パレットに同一構成の他の第１パレットを積み上げると、係合突起及び第１貫通孔の係合により、第１パレットに対して他の第１パレットが強固に固定されるので、第１パレットに対する他の第１パレットの水平方向の移動を確実に規制することができる。
【００２８】
第９の発明では、両パレット支持部材が倒伏状態の第１パレットに同一構成の他の第１パレットを積み上げると、山形状の第１突条部及び逆Ｖ字状の凹条溝の嵌合により、第１パレットに対する他の第１パレットの第１突条部及び凹条溝の延長方向と交差する方向の移動を規制するとともに、第１突条部及び凹条溝が互いに延長方向にスライド移動するのを移動規制部が規制することにより、第１パレットに対する他の第１パレットの水平方向の移動を確実に規制することができる。また、両パレット支持部材が倒伏状態の第１パレットに他の第１パレットをフォークリフト等で積み上げる際、他の第１パレットの凹条溝を第１突条部に上方から対応させて第１パレットに近づけると、第１突条部の一対の第１ガイド面が凹条溝の内側面に摺接しつつ第１突条部及び凹条溝の延長方向を一致させるように案内する。したがって、両パレット支持部材が倒伏状態の第１パレットに他の第１パレットを積み上げる際の位置決めに手間がかからず、積み上げ作業が容易である。
【００２９】
第１０の発明では、両パレット支持部材が起立状態の第１パレットに同一構成の他の第１パレットをフォークリフト等で積み上げて位置決めする際、他の第１パレットの凹条溝を第２突条部に上方から対応させて第１パレットに近づけると、第２突条部の一対の第２ガイド面が凹条溝の内側面に摺接しつつ第２突条部及び凹条溝の延長方向を一致させるように案内する。したがって、両パレット支持部材が起立状態の第１パレットに他の第１パレットを積み上げる際の位置決めに手間がかからず、積み上げ作業が容易である。
【００３０】
第１１の発明では、収納部の分だけ荷物の収容量を増やすことができる。
第１２の発明では、パレット回動部において、２分割された一方の上記パレット本体を他方の上記パレット本体に重ね合わせることにより、折り畳み式パレットの奥行き方向（パレット本体の長手方向と直交する方向）の寸法を半分にすることができる。従って、折り畳み式パレットは、保管時の収納性に優れるだけでなく、フォークリフト等による移動時に、より多くのパレットを一度に運搬することができるので、使い勝手が良い。
【図面の簡単な説明】
【００３１】
【図１】本発明の第１実施形態に係る折り畳み式パレットの両パレット支持部材が起立状態の正面図である。
【図２】図１の平面図である。
【図３】図１の側面図である。
【図４】本発明の題１実施形態に係る折り畳み式パレットの両パレット支持部材が倒伏状態の正面図である。
【図５】図４の平面図である。
【図６】図４の側面図である。
【図７】パレット支持部材が起立状態の回動軸周りの拡大斜視図である。
【図８】パレット支持部材が起立状態の回動軸周りの拡大正面図である。
【図９】パレット支持部材を起立状態から倒伏状態に切り替える直前の状態を示した拡大正面図である。
【図１０】パレット支持部材を起立状態から倒伏状態に切り替えた直後の状態を示した拡大正面図である。
【図１１】両パレット支持部材が起立状態の第１パレットに第２パレットを積み上げる直前の正面図である。
【図１２】図１１の側面図である。
【図１３】図１２のＡ−Ａ線における断面図である。
【図１４】図１のＢ−Ｂ線における断面図である。
【図１５】両パレット支持部材が倒伏状態の第１パレットに第２パレットを積み上げる直前の正面図である。
【図１６】図１５の側面図である。
【図１７】両パレット支持部材が起立状態の第１パレットに第２パレットが積み上げられた他の第１パレットを積み上げる直前の正面図である。
【図１８】図１７の側面図である。
【図１９】本発明の第２実施形態に係る折り畳みパレットの両パレット支持部材が起立状態の正面図である。
【図２０】図１９の平面図である。
【図２１】図１９の側面図である。
【図２２】本発明の第２実施形態に係る折り畳みパレットの両パレット支持部材が倒伏状態の正面図である。
【図２３】本発明の第３実施形態に係る折り畳みパレット１Ｂの平面図である。
【図２４】図２３の側面図である。
【図２５】折り畳みパレット１Ｂの折り畳み状態を示す側面図である。
【発明を実施するための形態】
【００３２】
以下、本発明の実施形態を図面に基づいて詳細に説明する。尚、以下の好ましい実施形態の説明は、本質的に例示に過ぎない。
【００３３】
図１乃至図６は、本発明の第１実施形態に係る折り畳み式パレット１を示す。該折り畳み式パレット１は、例えば、トラックの荷台に荷役作業を行う際に使用するものであり、第１パレット３及び第２パレット５の２種類のパレットで構成されている。
【００３４】
上記第１パレット３は、フレーム状の鋼材を組み立てて形成され、荷物を載置する矩形状の第１パレット本体３ａと、上記第２パレット５を支持する一対の略矩形枠状パレット支持部材３ｂとを備えている。
【００３５】
上記第１パレット本体３ａは、当該第１パレット本体３ａの四隅に位置する４つの支柱３１と、該各支柱３１の上下方向中程に四隅が繋がる矩形格子状の第１格子フレーム３３と、上記各支柱３１の下端に四隅が繋がる矩形枠状の第１サブフレーム３５とを備えている。
【００３６】
上記支柱３１は、上下に貫通する第１貫通孔３１ａを有する断面正方形の角筒状をなし、その略上半部分には、上記第１パレット３の長手方向内側に向かって断面略コ字状に開口する開口部３１ｂが形成されている。
【００３７】
上記支柱３１上半部分の上記開口部３１ｂを挟む両側面には、図７に示すように、上下に真っ直ぐに延びる第１長孔３１ｃが対向する位置に形成されている。
【００３８】
また、上記支柱３１上半部分の上記開口部３１ｂを挟む両側面のうちの外側に位置する側面上端には、図８乃至１０に示すように、切欠部３１ｄが形成されている。
【００３９】
上記第１格子フレーム３３上部における一対の対向する短辺には、図３及び図６に示すように、略門型状の第１支持フレーム３３ａが上記第１パレット本体３ａの短辺を挟む両支柱３１間に亘って突設され、その上端は、上記支柱３１の上端と略同じとなっている。
【００４０】
上記第１支持フレーム３３ａの上端には、上記第１パレット本体３ａの短辺に沿って延びる等辺山形鋼からなる第１突条部３３ｂ（第２係合部）が突設され、該第１突条部３３ｂは、上方に行くにつれて互いに接近する一対の第１ガイド面３３ｃを有する山形状をなしている。
【００４１】
また、上記第１サブフレーム３５の上記第１パレット本体３ａにおける一対の対向する短辺に対応するフレーム部分は、等辺山形鋼で形成され、下方に開放する逆Ｖ字状の第１凹条溝３５ａが凹設されている。
【００４２】
該第１凹条溝３５ａの長手方向両端は、上記第１パレット本体３ａの短辺を挟む両支柱３１の下部側壁で塞がれ、当該支柱３１の下部側壁が第１移動規制部３５ｂを構成している。
【００４３】
上記パレット支持部材３ｂは、図１乃至図６に示すように、平行に延びる一対の第２支持フレーム３７と、該両第２支持フレーム３７の一端間を橋絡する第１橋絡フレーム３９ａと、上記両第２支持フレーム３７の他端寄りの位置を橋絡する第２橋絡フレーム３９ｂとを備え、上記第１パレット本体３ａ上部における一対の対向する短辺の全長に亘って設けられている。
【００４４】
上記両第２支持フレーム３７は、上記第１パレット本体３ａの短辺を挟む両支柱３１に対応するように離間していて、上記両第２支持フレーム３７の他端は、上記両支柱３１の第１貫通孔３１ａにそれぞれ上方から嵌挿可能となっている。
【００４５】
また、上記第２支持フレーム３７の他端側側面には、扁平な略直方体形状の突起３７ａが突設され、上記第２支持フレーム３７の他端を上記第１パレット本体３ａの短辺を挟む両支柱３１の第１貫通孔３１ａに嵌挿すると、上記突起３７ａが上記切欠部３１ｄに上方から嵌合して上記支柱３１に対して上記第２支持フレーム３７が固定されるようになっている。
【００４６】
さらに、上記第２支持フレーム３７他端寄りの一対の対向面には、図７に示すように、それぞれ上記第２支持フレーム３７の延長方向に延び、且つ、上記第２支持フレーム３７他端側が略への字状に外側方に折れ曲がった第２長孔３７ｂが対向する位置に形成されている。
【００４７】
該第２長孔３７ｂの一端部分は、上記第２支持フレーム３７他端を上記支柱３１の第１貫通孔３１ａに嵌挿した状態で上記第１長孔３１ｃの下端部分と交わるようになっていて、上記第１長孔３１ｃ及び上記第２長孔３７ｂが交わった部分にワッシャー１２を介してボルト１０を挿通させて当該ボルト１０をナット１１に螺合させることにより、上記パレット支持部材３ｂが上記第１パレット本体３ａに連結するようになっている。
【００４８】
そして、上記両第２支持フレーム３７の他端を上記両支柱３１の第１貫通孔３１ａにそれぞれ嵌挿した状態から（図８参照）上記パレット支持部材３ｂを上方に持ち上げると、上記突起３７ａが上記切欠部３１ｄから外れるとともに、上記ボルト１０が第１長孔３１ｃ及び第２長孔３７ｂに沿って移動することにより、上記第２支持フレーム３７他端が上記第１貫通孔３１ａから抜け出るように上方に案内されるとともに上記開口部３１ｂから上記第１パレット３内側に飛び出るように案内され（図９参照）、その状態で上記ボルト１０を中心に上記パレット支持部材３ｂを回動させて上記第１パレット本体３ａ上に折り畳むようになっている（図１０参照）。
【００４９】
一方、上記パレット支持部材３ｂを折り畳んだ状態から、上記ボルト１０を中心に上記パレット支持部材３ｂを回動させて垂直な姿勢となるようにするとともに下方に移動させると、上記ボルト１０が上記第１長孔３１ｃ及び第２長孔３７ｂに沿って移動することにより、上記第２支持フレーム３７の他端が上記第１貫通孔３１ａに嵌挿するように、且つ、上記突起３７ａが上記切欠部３１ｄに嵌合するように案内されるようになっている。
【００５０】
つまり、上記パレット支持部材３ｂは上記第１パレット本体３ａにおける一対の対向する短辺に起伏可能に軸支され、上記両パレット支持部材３ｂの起立状態で上記第１パレット本体３ａ上方に荷物を載置可能な形態とする一方、該両パレット支持部材３ｂを上記第１パレット本体３ａ上に折り畳んで該両パレット支持部材３ｂを格納状態とするようになっている。
【００５１】
尚、上記両パレット支持部材３ｂは、倒伏状態で上記各支柱３１の上端から上方に飛び出ないように上端側（一端側）が互いに重なり合うようになっている。
【００５２】
起立状態の両パレット支持部材３ｂにおける両第２支持フレーム３７上端には、図１１及び図１２に示すように、それぞれ係合突起３７ｃが突設されている。
【００５３】
また、起立状態の両パレット支持部材３ｂにおける第１橋絡フレーム３９ａ上端には、当該第１橋絡フレーム３９ａの延長方向に延びる等辺山形鋼からなる第２突条部３７ｄが突設され、該第２突条部３７ｄは、上方に行くにつれて互いに接近する一対の第２ガイド面３７ｅを有する山形状をなしている。
【００５４】
上記第２パレット５は、フレーム状の鋼材を組み立てて形成され、荷物を載置する矩形状の第２パレット本体５ａを備え、上記両パレット支持部材３ｂの起立状態と倒伏状態との２形態の第１パレット３上にそれぞれ積み上げられるようになっている。
【００５５】
上記第２パレット本体５ａは、矩形格子状の第２格子フレーム５３と、該第２格子フレーム５３の下方に位置し、当該第２格子フレーム５３の外形に対応する矩形枠状の第２サブフレーム５５と、上記第２格子フレーム５３及び上記第２サブフレーム５５の四隅を連結する上下に延びる連結フレーム５１とを備えている。
【００５６】
上記第２格子フレーム５３の上記両パレット支持部材３ｂに対応する一対のフレーム部分には、当該フレーム部分に沿って延びる等辺山形鋼からなる第３突条部５３ａが突設され、該第３突条部５３ａは、上方に行くにつれて互いに接近する一対の第３ガイド面５３ｃを有する山形状をなしている。
【００５７】
上記第２サブフレーム５５の上記両パレット支持部材３ｂに対応する一対のフレーム部分は、等辺山形鋼で形成され、下方に開放する逆Ｖ字状の第２凹条溝５５ａが凹設されている。
【００５８】
該第２凹条溝５５ａの長手方向両端は、上記第２パレット本体５ａの短辺を挟む両連結フレーム５１の下部側壁で塞がれ、当該連結フレーム５１の下部側壁が第２移動規制部５５ｂを構成している。
【００５９】
そして、図１５及び図１６に示すように、上記両パレット支持部材３ｂが倒伏状態の上記第１パレット３上方に上記第２パレット５を積み上げた際、上記第１突条部３３ｂが上記第２凹条溝５５ａに嵌合するとともに、上記第１突条部３３ｂの延長方向両端に上記第２移動規制部５５ｂが対向して、上記第２パレット５が上記第１パレット３に対して水平方向に移動規制されるように構成されている。
【００６０】
また、上記各連結フレーム５１は、上下に貫通する第２貫通孔５１ａ（第１被係合部）を有する断面正方形の角筒状をなしていて、図１１乃至図１４に示すように、上記両パレット支持部材３ｂが起立状態の上記第１パレット３上方に上記第２パレット５を積み上げた際、上記係合突起３７ｃが上記第２貫通孔５１ａに下方から係合するとともに、上記第１突条部３３ｂが上記第２凹条溝５５ａに嵌合することにより、上記第２パレット５が上記第１パレット３に対して水平方向に移動規制されるように構成されている。
【００６１】
さらに、図１７及び図１８に示すように、上記両パレット支持部材３ｂが起立状態の上記第１パレット３上方に他の第１パレット３を積み上げた際、上記係合突起３７ｃが上記第１貫通孔３１ａに下方から係合するとともに、上記第２突条部３７ｄが上記第１凹条溝３５ａに嵌合することにより、上段の第１パレット３が下段の第１パレットに対して水平方向に移動規制されるように構成されている。
【００６２】
それに加えて、上記第２パレット５の上方に第１パレット３を積み上げた際、上記第３突条部５３ａが上記第１凹条溝３５ａに嵌合するとともに、上記第３突条部５３ａの延長方向両端に上記第１移動規制部３５ｂが対向して、上記第１パレット３が上記第２パレット５に対して水平方向に移動規制されるように構成されている。
【００６３】
次に、上記折り畳み式パレット１の使用方法について説明する。
【００６４】
上記折り畳み式パレット１の積載量を増やす場合、まず、両パレット支持部材３ｂが倒伏状態の第１パレット３上に積み上げられた第２パレット５（図４乃至図６参照）をフォークリフト等で上記第１パレット３から降ろす。
【００６５】
次に、図８乃至図１０に示すように、倒伏状態の上記両パレット支持部材３ｂを上記ボルト１０を中心に回動させて垂直状態にするとともに下方にスライド移動させる。すると、上記第２支持フレーム３７の下端が第１貫通孔に嵌挿するとともに、上記突起３７ａが上記切欠部３１ｄに嵌合して、上記両パレット支持部材３ｂが起立状態となる。
【００６６】
しかる後、上記両パレット支持部材３ｂが起立状態の第１パレット３上にフォークリフト等で第２パレット５を積み上げ、第１突条部３３ｂに第２凹条溝５５ａを上方から外嵌合させるとともに係合突起３７ｃを下方から第２貫通孔５１ａに係合させ、上記第１パレット３に対して上記第２パレット５を固定する。
【００６７】
したがって、係合突起３７ｃ及び第２貫通孔５１ａの係合により、第１パレット３に対して第２パレット５の位置決めがなされて第１パレット本体３ａ及び第２パレット本体５ａ上に荷物を載置できるようになるので、積載量を多くできる。
【００６８】
また、係合突起３７ｃ及び第２貫通孔５１ａの係合により、第１パレット３に第２パレット５が強固に固定されるので、第１パレット３に対する第２パレット５の水平方向の移動を確実に規制することができる。
【００６９】
さらに、両パレット支持部材３ｂが起立状態の第１パレット３に第２パレット５をフォークリフト等で積み上げて位置決めする際、第２パレット５の第２凹条溝５５ａを第２突条部３７ｄに上方から対応させて第１パレット３に近づけると、第２突条部３７ｄの一対の第２ガイド面３７ｅが第２凹条溝５５ａの内側面に摺接しつつ第２突条部３７ｄ及び第２凹条溝５５ａの延長方向を一致させるように案内する。したがって、両パレット支持部材３ｂが起立状態の第１パレット３に第２パレット５を積み上げる際の位置決めに手間がかからず、積み上げ作業が容易である。
【００７０】
また、上記折り畳み式パレット１の積載量をさらに増やす場合、図１７及び図１８に示すように、両パレット支持部材３ｂが起立状態で上記第２パレット５が積み上げられた第１パレット３をフォークリフト等で両パレット支持部材３ｂが起立状態の他の第１パレット３に積み上げ、第１突条部３３ｂに第１凹条溝３５ａを上方から外嵌合させるとともに、係合突起３７ｃを第１貫通孔３１ａに下方から係合させ、下段の第１パレット３に対して上段の第１パレット３を固定する。
【００７１】
したがって、両パレット支持部材３ｂが起立状態の第１パレット３を複数積み上げることができるようになり、第１パレット３が１つの場合に比べて荷物の積載量を多くできる。
【００７２】
上述したように、第１実施形態に係る折り畳み式パレット１の第１パレット３は、第２パレット５を積み上げることにより、荷物の積載量を多くすることができる。また、第１実施形態に係る折り畳みパレット１において、第１パレット３は、単独で使用することもできるし、以下に説明するように、同一構成の他の第１パレット３を積み上げて使用することもできる。
【００７３】
すなわち、両パレット支持部材３ｂが起立状態の第１パレット３に、同一構成の他の第１パレット３を積み上げた場合には、第１突条部３３ｂ及び第１凹条溝３５ａが互いに嵌合するとともに、係合突起３７ｃ及び第１貫通孔３１ａが互いに係合して第１パレット３同士が強固に固定されるので、積み上げた第１パレット３同士の互いの水平方向の移動を確実に規制することができる。
【００７４】
さらに、両パレット支持部材３ｂが起立状態の第１パレット３に他の第１パレット３をフォークリフト等で積み上げて位置決めする際、上段の第１パレット３の第１凹条溝３５ａを第２突条部３７ｄに上方から対応させて下段の第１パレット３に近づけると、第２突条部３７ｄの一対の第２ガイド面３７ｅが第１凹条溝３５ａの内側面に摺接しつつ第２突条部３７ｄ及び第１凹条溝３５ａの延長方向を一致させるように案内する。したがって、両パレット支持部材３ｂが起立状態の複数の第１パレット３を積み上げる際の位置決めに手間がかからず、積み上げ作業が容易である。
【００７５】
次に、上記折り畳み式パレット１をコンパクトにする場合について説明する。折り畳み式パレット１をコンパクトにするには、まず、両パレット支持部材３ｂが起立状態の第１パレット本体３ａ上に積み上げられた第２パレット５をフォークリフト等で上記第１パレット３から降ろす。
【００７６】
次に、図８乃至図１０に示すように、上記両パレット支持部材３ｂを各支柱３１に対して上方にスライド移動させて、第１貫通孔３１ａから支柱３１を抜き取るとともに上記突起３７ａを切欠部３１ｄから外す。そして、上記両パレット支持部材３ｂをボルト１０を中心に回動させて折り畳むと、上記両パレット支持部材３ｂは、上端側（一端側）が互いに重なり合った状態で倒伏状態となる。
【００７７】
しかる後、上記両パレット支持部材３ｂの倒伏状態の第１パレット３上にフォークリフト等で第２パレット５を積み上げ、第１突条部３３ｂに第２凹条溝５５ａを上方から外嵌合させるとともに、上記第１突条部３３ｂの長手方向両端に上記第２移動規制部５５ｂを対向させ、上記第１パレット３に上記第２パレット５を固定する。
【００７８】
したがって、両パレット支持部材３ｂが倒伏状態の第１パレット３に上記第２パレット５を積み上げると、山形状の第１突条部３３ｂ及び逆Ｖ字状の第２凹条溝５５ａが互いに延長方向と交差する方向の移動を規制するとともに、第１突条部３３ｂ及び第２凹条溝５５ａが互いに延長方向にスライド移動するのを第２移動規制部５５ｂが規制することにより、第１パレット３に対する第２パレット５の水平方向の移動を確実に規制することができ、且つ、コンパクトになる。しかも、特許文献１のように、パレットを折り畳むとパレット本体と複数の棒材とが別体となって保管時に複数の棒材を紛失してしまうといったことを防止でき、使い勝手が良い。さらに、第２パレット５は、倒伏状態の両パレット支持部材３ｂを上方から覆うように第１パレット３に位置決めされるので、両パレット支持部材３ｂを折り畳んだときに上端側が互いに重なり合う構造であっても、第２パレット５上に荷物を載置することができ、このことにおいても使い勝手が良い。
【００７９】
そして、両パレット支持部材３ｂが倒伏状態の第１パレット３に第２パレット５をフォークリフト等で積み上げて位置決めする際、第２パレット５の第２凹条溝５５ａを第１突条部３３ｂに対応させて第１パレット３に近づけると、第１突条部３３ｂの一対の第１ガイド面３３ｃが第２凹条溝５５ａの内側面に摺接しつつ第１突条部３３ｂ及び第２凹条溝５５ａの延長方向を一致させるように案内する。したがって、両パレット支持部材３ｂが倒伏状態の第１パレット３に第２パレット５を積み上げる際の位置決めに手間がかからず、積み上げ作業が容易である。
【００８０】
また、上記折り畳み式パレット１をコンパクトにした状態でその上にさらに第１パレット３を積み上げる場合、両パレット支持部材３ｂが倒伏状態の第１パレット本体３ａ上に積み上げられた第２パレット５の上にフォークリフト等で第１パレット３を積み上げ、第３突条部５３ａに第１凹条溝３５ａを上方から外嵌合させるとともに、上記第３突条部５３ａの長手方向両端に上記第１移動規制部３５ｂを対向させ、上記第２パレット５に対して第１パレット３を固定する。
【００８１】
したがって、上記第２パレット５に上記第１パレットを積み上げると、山形状の第３突条部５３ａ及び逆Ｖ字状の第１凹条溝３５ａが互いに延長方向と交差する方向の移動を規制するとともに、第３突条部５３ａ及び第１凹条溝３５ａが互いに延長方向にスライド移動するのを第１移動規制部３５ｂが規制することにより、第１パレット３に対する第２パレット５の水平方向の移動を確実に規制することができ、且つ、コンパクトになる。
【００８２】
次に、本発明の第２実施形態について説明する。図１９乃至図２２は、本発明の第２実施形態に係る折り畳みパレット１Ａを示す。図１９は、本発明の第２実施形態に係る折り畳みパレット１Ａの両パレット支持部材が起立状態の正面図である。図２０は、図１９の平面図である。図２１は、図１９の側面図である。図２２は、本発明の第２実施形態に係る折り畳みパレット１Ａの両パレット支持部材が倒伏状態の正面図である。
【００８３】
尚、以下の説明においては、上記実施形態と同等部分を同一符号で示し、重複する説明を適宜に省略する。また、図１９乃至図２２では、主に本実施形態の説明に必要な箇所についてのみ符号を付す。また、同一箇所に設けられる同一名称の部材において、その構成が異なる場合には、符号に「Ａ」、「Ｂ」等の記号を適宜に付す。また、第１実施形態において、符号に「ａ」、「ｂ」等の記号が付されている場合には、構成が異なる場合でも同一符号により説明する（後述する第３実施形態についても同じ）。
【００８４】
本実施形態の折り畳みパレット１Ａは、第１パレット３Ａにより構成されている。第１パレット３Ａの基本的な構成は、上記実施形態における第１パレット３と同じである。
【００８５】
図１９乃至図２１に示すように、本実施形態の第１パレット３Ａは、一対のパレット支持部材３ｂにおいて、該一対のパレット支持部材３ｂを第１パレット本体３ａ上に折り畳む方向と反対側の位置に収納部６１が設けられている。収納部６１は、複数の角柱パイプ（符号略）により構成される。収納部６１は、第１パレット３Ａ側の領域と上方の領域とがそれぞれ開口するように略箱枠状に構成されている。すなわち、収納部６１において、第１パレット３Ａ側の領域と上方の領域には、角柱パイプが設けられていない。作業者は、第１パレット３Ａ側又は収納部６１の上方から荷物を収納部６１に載置したり、取り出したりすることができる。
【００８６】
また、本実施形態の第１パレット３Ａは、図２２に示すように、両パレット支持部材３ｂを内側に折り畳むことができる。両パレット支持部材３ｂを内側に折り畳んだ状態において、両方の収納部６１の上面はほぼ平坦となる。そのため、両パレット支持部材３ｂを折り畳んだ第１パレット３Ａを積み重ねて保管したり、フォークリフト等により移動させたりすることができる。
【００８７】
上述のように、本実施形態の折り畳みパレット１Ａは、収納部６１を備えるため、荷物の収容量を増やすことができる。なお、収納部６１の形状は、図１９乃至図２２の例に限定されることなく、適宜に変更可能である。また、収納部６１は、一方のパレット支持部材３ｂにのみ設けてもよいし、パレット支持部材３ｂに対して着脱可能に構成してもよい。
【００８８】
次に、本発明の第３実施形態について説明する。図２３乃至図２５は、本発明の第３実施形態に係る折り畳みパレット１Ｂを示す。図２３は、本発明の第３実施形態に係る折り畳みパレット１Ｂの平面図である。図２４は、図２３の側面図である。図２５は、折り畳みパレット１Ｂの折り畳み状態を示す側面図である。尚、以下の説明においては、上記実施形態と同等部分を同一符号で示し、重複する説明を適宜に省略する。また、図２３乃至図２５では、主に本実施形態の説明に必要な箇所についてのみ符号を付す。
【００８９】
本実施形態の折り畳みパレット１Ｂは、第１パレット３Ｂにより構成されている。第１パレット３Ｂの基本的な構成は、上記実施形態における第１パレット３と同じである。本実施形態の第１パレット３Ｂは、第１パレット本体３ａの長手方向に沿って２分割されるように第１格子フレーム３３が構成されている点、第１支持フレーム３３ａ、第１突条部３３ｂ、第２橋絡フレーム３９ｂ等を備えていない点、第１橋絡フレーム３９ａがパレット支持部材３ｂに対して着脱自在に構成されている点、パレット回動部４１（後述）等を備える点において、第１実施形態の第１パレット３と異なる。
【００９０】
図２３に示すように、本実施形態の第１パレット３Ｂは、第１パレット本体３ａの長手方向に沿って２分割できるように第１格子フレーム３３が構成されている。図２３において、符号Ｄは、第１パレット本体３ａの分割位置を示す。２分割された第１パレット本体３ａの上面には、底板３８が設けられている。底板３８は、第１パレット本体３ａと同様に２分割されており、それぞれが２分割された第１パレット本体３ａに設けられている。
【００９１】
図２４に示すように、本実施形態の第１パレット３Ｂにおいて、第１橋絡フレーム３９ａは、パレット支持部材３ｂに対して着脱自在となるように構成されている。すなわち、一対のパレット支持部材３ｂの第２支持フレーム３７上端には、係合突起３７ｆが設けられている。一方、第１橋絡フレーム３９ａには、係合孔部３７ｇが設けられている。第１パレット３Ｂにおいて、起立した両一対のパレット支持部材３ｂの上方にそれぞれの第１橋絡フレーム３９ａを取り付けると、一対のパレット支持部材３ｂの上端に設けられた係合突起３７ｆと、第１橋絡フレーム３９ａに設けられた係合孔部３７ｇとが嵌合する。これにより、各パレット支持部材３ｂにおいて、相対する第２支持フレーム３７の水平方向（図２４における左右方向）への移動が規制される。
【００９２】
本実施形態の第１パレット３Ｂは、後述するように、２分割された第１パレット本体３ａ同士をパレット回動部４１により接合している。そのため、両一対のパレット支持部材３ｂの上方にそれぞれの第１橋絡フレーム３９ａを取り付けることにより、パレット回動部４１を中心として、２分割された第１パレット本体３ａが互いに回動するのを防止することができる。また、後述するように、両一対のパレット支持部材３ｂから、それぞれの第１橋絡フレーム３９ａを取り外すことにより、パレット回動部４１を中心として、２分割された第１パレット本体３ａを折り畳むことができる。
【００９３】
図２４に示すように、２分割された第１パレット本体３ａは、パレット回動部４１により接合されている。パレット回動部４１は、第１格子フレーム３３の長手方向の両端部に位置するフレーム部材（符号略）の下部に設けられている。パレット回動部４１は、２分割された第１パレット本体３ａ同士を接合すると共に、後述するように、２分割された一方の第１パレット本体３ａを他方の第１パレット本体３ａに重ね合わせ可能とする。本実施形態のパレット回動部４１は、蝶番により構成されている。なお、パレット回動部４１は、２分割された第１パレット本体３ａの強度を確保するために、長蝶番により構成されることが好ましい。
【００９４】
本実施形態の第１パレット３Ｂにおいて、第１パレット本体３ａの上に荷物を載置する場合には、両一対のパレット支持部材３ｂの上方にそれぞれの第１橋絡フレーム３９ａを取り付ける。これにより、パレット回動部４１を中心として、２分割された第１パレット本体３ａが互いに回動することがないため、第１パレット本体３ａの上に荷物を安定して保持させることができる。
【００９５】
一方、第１パレット３Ｂを折り畳む場合には、両一対のパレット支持部材３ｂから、それぞれの第１橋絡フレーム３９ａを取り外す。次に、両一対のパレット支持部材３ｂを、第１パレット本体３ａ上に折り畳む（第１実施形態の図１０参照）。そして、図２５に示すように、２分割された一方の第１パレット本体３ａ（例えば、図中左側）を、パレット回動部４１を中心として矢印方向に回動させることにより、他方の第１パレット本体３ａ（図中右側）に重ね合わせることができる。
【００９６】
上述のように、本実施形態の折り畳みパレット１Ｂによれば、２分割された一方の第１パレット本体３ａを、パレット回動部４１を中心として回動させることにより、他方の第１パレット本体３ａに重ね合わせることができる。そのため、折り畳みパレット１Ｂの奥行き方向（第１パレット本体３ａの長手方向と直交する方向）の寸法を約半分にすることができる。従って、本実施形態の折り畳みパレット１Ｂは、保管時の収納性に優れるだけでなく、フォークリフト等による移動時により多くのパレットを一度に運搬することができるので、使い勝手が良い。なお、パレット回動部４１の個数や配置する位置等は、本実施形態の例に限定されることなく、適宜に変更することができる。
【００９７】
以上、本発明の好適な実施形態について説明したが、本発明は、上述した実施形態に限定されることなく、種々の形態で実施することができる。
【００９８】
例えば、本発明の実施形態では、両パレット支持部材３ｂに対応する第２パレット５の一対の短辺両側に第２貫通孔５１ａが、起立状態での両パレット支持部材３ｂの上端に上記第２貫通孔５１ａに係合する係合突起３７ｃが突設されているが、第２パレット５に係合突起３７ｃが、両パレット支持部材３ｂに第２貫通孔５１ａが形成されていてもよい。
【００９９】
また、本発明の実施形態では、第１パレット本体の上部における両パレット支持部材３ｂの一対の短辺に第１突条部３３ｂが、両パレット支持部材３ｂに対応する第２パレット本体５ａの一対の短辺に上記第１突条部３３ｂに外嵌合する第２凹条溝５５ａが凹設されているが、両パレット支持部材３ｂに第２凹条溝５５ａが、第２パレット本体５ａに第１突条部３３ｂが突設されていてもよい。
【産業上の利用可能性】
【０１００】
本発明は、例えば、物流過程において荷役作業を行う際に、荷物を載置する折り畳み式パレットに適している。
【符号の説明】
【０１０１】
１、１Ａ、１Ｂ        折り畳み式パレット
３、３Ａ、３Ｂ        第１パレット
３ａ        第１パレット本体
３ｂ        パレット支持部材
５        第２パレット
５ａ        第２パレット本体
３３ｂ        第１突条部（第２係合部）
３３ｃ        第１ガイド面
３７ｃ        係合突起（第１係合部）
３７ｄ        第２突条部
４１          パレット回動部
３７ｅ        第２ガイド面
５１ａ        第２貫通孔（第１被係合部）
５５ａ        第２凹条溝（第２被係合部）
５５ｂ        第２移動規制部
６１          収納部
【図１】
2013227077.tif 000003
【図２】
2013227077.tif 000004
【図３】
2013227077.tif 000005
【図４】
2013227077.tif 000006
【図５】
2013227077.tif 000007
【図６】
2013227077.tif 000008
【図７】
2013227077.tif 000009
【図８】
2013227077.tif 000010
【図９】
2013227077.tif 000011
【図１０】
2013227077.tif 000012
【図１１】
2013227077.tif 000013
【図１２】
2013227077.tif 000014
【図１３】
2013227077.tif 000015
【図１４】
2013227077.tif 000016
【図１５】
2013227077.tif 000017
【図１６】
2013227077.tif 000018
【図１７】
2013227077.tif 000019
【図１８】
2013227077.tif 000020
【図１９】
2013227077.tif 000021
【図２０】
2013227077.tif 000022
【図２１】
2013227077.tif 000023
【図２２】
2013227077.tif 000024
【図２３】
2013227077.tif 000025
【図２４】
2013227077.tif 000026
【図２５】
2013227077.tif 000027